(57)【要約】【課題】  残米処理工程に移行した後の場合にも円滑に籾摺選別作業を行うことができる籾摺選別機を提供する。【解決手段】  籾摺部（３）と、揺動選別板（１２）と、揺動選別板（１２）で選別された玄米を機外排出するか機内循環するかを切り換える循環／排出切換弁（１８）とを備え、玄米を機外に排出する仕上排出工程中に籾摺部（３）で籾摺りする籾が設定量以下に減少するか、あるいは籾が無くなったことを検出すると、循環／排出切換弁（１８）を機外排出から機内循環へ切り換え、設定時間後に機内循環から機外排出へ切り換えて残米を排出する残米処理工程を行う籾摺選別機において、前記残米処理中に新たな籾有りを検出すると、残米処理工程の開始時間をリセットすることを特徴とする。【選択図】  図６
2015066493.tif 000002
【特許請求の範囲】
【請求項１】
籾摺部と、揺動選別板と、揺動選別板で選別された玄米を機外排出するか機内循環するかを切り換える循環／排出切換弁とを備え、玄米を機外に排出する仕上排出工程中に籾摺部で籾摺りする籾が設定量以下に減少するか、あるいは籾が無くなったことを検出すると、循環／排出切換弁を機外排出から機内循環へ切り換え、設定時間後に機内循環から機外排出へ切り換えて残米を排出する残米処理工程を行う籾摺選別機において、
前記残米処理中に新たな籾有りを検出すると、残米処理工程の開始時間をリセットすることを特徴とする籾摺選別機。
【請求項２】
籾摺部と、揺動選別板と、揺動選別板で選別された玄米を機外排出するか機内循環するかを切り換える循環／排出切換弁とを備え、玄米を機外に排出する仕上排出工程中に籾摺部で籾摺りする籾が設定量以下に減少するか、あるいは籾が無くなったことを検出すると、循環／排出切換弁を機外排出から機内循環へ切り換え、設定時間後に機内循環から機外排出へ切り換えて残米を排出する残米処理工程を行う籾摺選別機において、  
残米処理工程に移行した後、混合米タンクが設定量以上の混合米を検出すると、仕上排出工程に移行することを特徴とする籾摺選別機。
【発明の詳細な説明】
【技術分野】
【０００１】
本発明は、籾摺選別機に関する。
【背景技術】
【０００２】
特許文献１には、玄米を機外に排出する仕上排出工程中に、混合米タンク内の混合米量が減少すると、籾摺りする籾が無くなったと判定し、機内の残米を設定時間機内循環させて未脱ぷ籾を脱ぷしてから機外に排出する籾摺選別機が記載されている。
【先行技術文献】
【特許文献】
【０００３】
【特許文献１】特開２０１２−２５４４６１号公報
【発明の概要】
【発明が解決しようとする課題】
【０００４】
残米処理工程に移行した後に、端量の籾（例えば散乱している籾を集めて穀物袋に収容している）を籾摺選別処理する場合がある。あるいは、ある乾燥機に収容されている籾を籾摺り選別処理し、次の乾燥機に収容している籾を籾摺選別を継続して行う場合がある。
【０００５】
本発明は、残米処理工程に移行した後の場合にも円滑に籾摺選別作業を行うことができる籾摺選別機を提供することを課題とする。
【課題を解決するための手段】
【０００６】
本発明は、かかる課題を解決するために次のような技術的手段を講ずる。
請求項１記載の発明は、籾摺部（３）と、揺動選別板（１２）と、揺動選別板（１２）で選別された玄米を機外排出するか機内循環するかを切り換える循環／排出切換弁（１８）とを備え、玄米を機外に排出する仕上排出工程中に籾摺部（３）で籾摺りする籾が設定量以下に減少するか、あるいは籾が無くなったことを検出すると、循環／排出切換弁（１８）を機外排出から機内循環へ切り換え、設定時間後に機内循環から機外排出へ切り換えて残米を排出する残米処理工程を行う籾摺選別機において、前記残米処理中に新たな籾有りを検出すると、残米処理工程の開始時間をリセットすることを特徴とする。
【０００７】
請求項２記載の発明は、籾摺部（３）と、揺動選別板（１２）と、揺動選別板（１２）で選別された玄米を機外排出するか機内循環するかを切り換える循環／排出切換弁（１８）とを備え、玄米を機外に排出する仕上排出工程中に籾摺部（３）で籾摺りする籾が設定量以下に減少するか、あるいは籾が無くなったことを検出すると、循環／排出切換弁（１８）を機外排出から機内循環へ切り換え、設定時間後に機内循環から機外排出へ切り換えて残米を排出する残米処理工程を行う籾摺選別機において、残米処理工程に移行した後、混合米タンクが設定量以上の混合米を検出すると、仕上排出工程に移行することを特徴とする。
【発明の効果】
【０００８】
請求項１記載の発明により、残米処理工程に移行した後に端量の籾を追加したら、残米処理工程の時間をリセットして残米処理を行うことができるので、円滑な残米の処理を行うことができる。
【０００９】
請求項２記載の発明により、残米処理工程に移行した後に、設定量以上の籾が供給された場合には、残米処理工程から仕上米排出工程に移行することで、オペレータは円滑に籾摺選別作業を継続することができる。
【図面の簡単な説明】
【００１０】
【図１】籾摺選別機の外観図
【図２】籾摺選別機の内部を説明する図
【図３】籾摺選別機の操作機構図
【図４】制御ブロック図
【図５】フローチャート
【図６】操作レバーの操作を示す図
【図７】操作盤を示す図
【発明を実施するための形態】
【００１１】
本発明の実施の形態の籾摺選別機について、以下説明する。
機体左右一側には籾を収容する籾ホッパ１と、開閉シャッタ２と、籾摺りする籾摺ロール３と、籾摺ロール３で籾摺りされた籾・玄米の混合米を移送する移送棚５と、メインモータ２１を備える。
【００１２】
機体の左右中央部には移送棚５で移送された混合米を風選する風選部６及び籾殻を吸引ファン７と、混合米を移送する混合米ラセン８と、混合米を揚穀する混合米用昇降機９を備えている。機体左右他側には混合米用昇降機９で揚穀された混合米を貯留する混合米タンク１０と、混合米タンク１０から混合米を移送する渡し樋１１と、混合米を籾と玄米に分離する揺動選別板１２を設けている。揺動選別板１２の穀物排出側には揺動選別板１２で選別される籾層を仕切る籾仕切板１３と、玄米層を仕切る玄米仕切板１４を設ける。揺動選別板１２の穀物排出側の下方には玄米仕切板１４で仕切られた玄米が通過する玄米通路１９と、玄米仕切板１４と籾仕切板１３の間を通過した混合米が通過する混合米通路１７と、籾仕切板１３で仕切られた籾が通過する籾通路１５を設ける。籾通路１５を通過した籾はスロワ１６で籾ホッパ１に戻され、混合米通路１７を通過した混合米は混合米ラセン８に供給され、玄米通路１９を通過した玄米は玄米用昇降機２０に供給される。
【００１３】
符号１８は循環／排出切換弁で、玄米仕切板１４で仕切られた玄米を玄米通路１９側に供給する（機外排出）か混合米通路１７側に供給する（機内循環）かを切り換える。
籾摺選別機は図１に示すように、符号では示さないが外観を外装カバーで覆う構成であり、機体左右中央部には操作盤２６を設け、操作盤２６の上方に操作レバー２２を設けている。
【００１４】
図７に示すように、操作盤２６には、運転を開始する運転スイッチ３５と運転を停止する停止スイッチ４０を設けている。そして、操作盤２６の内部には制御部３６を内蔵する。
【００１５】
操作レバー２３は図６に示すように操作案内ガイド４１に沿って左右方向に操作可能に構成し、初期位置である第一位置３７又は籾摺選別位置である第二位置３８のいずれかに操作する構成で、それぞれ操作レバー第一位置検出センサ３２及び操作レバー第二位置検出センサ３３で操作レバー２３の操作位置を検出する。
【００１６】
図３に示すように、操作レバー２３は開閉シャッタ２とメカ的に連結されると共に、揺動選別板１２の揺動入切クラッチ２４とワイヤ２８で連結される。開閉シャッタ２は穀物の収容量に応じて上下動する混合米タンク１０とリンク機構２７で連結される。これにより、混合米タンク１０の混合米量が多くなり、混合米タンク１０が下がるにつれて開閉シャッタ２が閉側になることで、籾摺ロール３へ供給する籾量を減少させる。また、混合米タンク１０の混合米量が少なくなり、混合米タンク１０が上がるにつれて開閉シャッタ２が開側になることで、籾摺ロール３へ供給する籾量を増加させる。なお、混合米タンク１０が設定量以上下降する、すなわち、混合米タンク１０内に収容される混合米量が設定量以上になることを混合米タンク第一センサ３０で検出する構成とする。そして、混合米タンク１０が設定量以下上昇する、すなわち、混合米タンク１０内に収容される混合米量が設定量以下になることを混合米タンク第二センサ３１で検出する構成とする。
【００１７】
循環／排出切換弁１８は循環／排出切換モータ２５で機内循環側と機外排出側に切換わる。
次に、図５に基づいて籾摺選別作業について説明する。
【００１８】
電源を入れて運転スイッチ３５を操作すると、メインモータ２１が駆動を開始すると共に、ロール間隙モータ４が駆動を開始し、籾摺ロール４のロール間隙を籾摺位置に調節する（初期調節）。この初期調節が終了した後、オペレータが操作レバー２２を初期位置３７から籾摺選別位置３８に操作すると、開閉シャッタ２が開操作されて籾摺ロール３による籾摺作業が開始されると共に、揺動入切クラッチ２４が入り揺動選別板１２が揺動を開始する。
【００１９】
籾摺ロール３を通過した籾と玄米の混合米は移送棚５、風選部６、混合米ラセン８、混合米昇降機９を経て混合米タンク１０内に収容される。混合米タンク１０から設定量ずつの混合米が渡し樋１３を経て揺動選別板１２に供給され、選別作業が行われる。揺動選別板１２から排出された混合米は、当初は機内循環状態となる（循環工程）。そして、混合米タンク１０に収容される混合米量が増加し、混合米タンク第一センサ３０が混合米タンク１０の下降を検出すると循環／排出切換モータ２５が駆動し、循環／排出切換弁１８が排出側に切換わり、選別された玄米が玄米用昇降機２０に供給されて機外排出される（仕上排出工程）。
【００２０】
仕上排出工程が継続され、籾ホッパ１内の籾が無くなると、混合米タンク１０内の混合米量が減少し、混合米タンク１０が上昇する。そして、混合米タンク第二センサ３１が混合米タンク１０の上昇を検出すると循環／排出切換弁１８が排出側から循環側へ切換わり、残米を処理する残米処理工程へ移行する。残米処理工程への移行は混合米タンク第二センサ３１以外にメインモータ２１の負荷電流値を検出する負荷電流検出センサ２９が設定値以下を検出することで籾ホッパ１内の籾無を判定しても良い。
【００２１】
残米処理工程とは、残米に含まれる未脱ぷの籾を設定時間機内循環させることで籾摺ロール３で籾摺りして玄米にしてから機外排出する工程のことである。
残米処理工程が設定時間経過すると（Ｓ１）、循環／排出切換弁１８が循環側から排出側に切換わり（Ｓ２）残米を機外排出する。当該機外排出が設定時間経過すると（Ｓ３）、循環／排出切換弁が循環側に切換わり（Ｓ４）メインモータ２１が停止する（Ｓ５）。
【００２２】
前述の残米処理工程中に負荷電流検出センサ２９が設定以上の一時的な負荷電流値の上昇（すなわち籾有りから籾無し）を検出すると（Ｓ６）残米処理工程の設定時間をリセットする（Ｓ７）。これは、籾摺選別作業の終了間際にオペレータが端量の籾を籾ホッパ１に投入すると一時的に負荷電流値の上昇が生じる。これにより、端量の籾を改めて残米処理して機外排出することができる。このとき、籾有りから籾無しへを検出せず、籾有り状態が設定時間が経過（Ｓ１）すると、循環／排出切換弁１８が排出側へ切換わり（Ｓ２）、次いで、混合米タンク第一センサ３０が混合米タンク１０内に設定量以上の混合米量を収容したことを検出する（Ｓ８）と、仕上排出工程へ移行する。これは、オペレータが残米処理工程中に端量ではなく、例えば次の乾燥機の籾を投入したときに円滑に籾摺選別作業を継続できるものである。
【００２３】
本実施の形態の籾摺選別機の特徴についてさらに説明する。
本実施の形態の籾摺選別機は操作レバー２２が初期位置３７と籾摺選別位置３８の２箇所であり、操作レバー２２を籾摺選別位置に操作すると、以後は運転停止まで操作が不要である点に特徴がある。すなわち、機内循環から機外排出、すなわち、仕上米排出工程への移行時、及び仕上米工程から残米処理工程への移行時、残米処理工程後の運転停止に至るまで、操作レバー２２は籾摺選別位置３８の状態で良い。また、手動の停止スイッチ４０を操作する必要も無い。オペレータは運転停止後に操作レバー２２を初期位置に戻せば、次の籾摺選別作業を開始できるもので、操作回数が少なく、操作性が良い。
【００２４】
操作レバー２２の操作案内ガイド４１の籾摺選別位置３８側には循環／排出切換弁１８を手動で切り換える循環／排出切換スイッチ３４を設ける。このスイッチは例えば仕上排出工程中にオペレータが揺動選別板１２の選別状況に変化があったときに、仕上玄米に籾が混入するのを防止するために操作して機外排出から機内循環に切り換える時に使用する。仕上排出工程中に循環／排出切換スイッチ３４を操作すると自動のモードから手動のモードに移行し、再度循環／排出切換スイッチ３４を操作すると循環／排出切換弁１８は機内循環から機外排出側に切換わり、手動モードから自動モードに復帰する。
【００２５】
籾摺選別作業の開始から混合米タンク１０が設定量以上収容されていることを混合米タンク第一センサ３０が検出する前に、オペレータが早く仕上玄米を機外に排出したいときに循環／排出切換スイッチ３４を操作すると、循環／排出切換弁１８は機内循環から機外排出に切換わり、仕上米排出工程に移行する。この場合、仕上米排出工程から残米処理工程への移行は図５のフローチャートと同様である。
【００２６】
残米処理工程で循環から排出に切換わった後にオペレータが仕上玄米に籾が混入していると判断し、循環／排出切換スイッチ３４を操作すると、循環／排出切換弁１８は機外排出から機内循環に切換わり、オペレータが再度循環／排出切換スイッチ３４を操作するまで機内循環状態が継続する。そして、オペレータが再度循環／排出切換スイッチ３４を操作して循環／排出切換弁１８が機内循環から機外排出に切り換えると、改めて設定時間（Ｓ３）がリセットされ、当該設定時間が経過すると循環／排出切換弁１８が機内循環側へ切換わり（Ｓ５）、次いでメインモータ２１が停止する。
【００２７】
循環／排出切換スイッチ３４は操作案内ガイド４１の籾摺選別位置３８側に設けていることで、揺動選別板１２の状況を見ながら操作しやすいというメリットもある。
本実施の形態は籾摺ロールによる籾摺選別機で説明しているが、いわゆるインペラ式の籾摺選別機でも利用できる。
【００２８】
本実施の形態では、仕上排出工程中に混合米タンク１０に収容される混合米量が設定量以下であることを検出すると、籾摺ロール３で籾摺りする籾が籾ホッパ１に無し、又は籾ホッパ１内の籾が設定量以下になっていると判定しているが、負荷電流検出センサ２９が設定値以下に下降した状態が継続することで、籾無し、又は籾が設定量以下であると判定しても良い。あるいは、籾ホッパ１に籾検出センサ（図示せず）を設け、籾検出センサが籾無しを検出すると籾無し、又は籾が設定量以下になったと判定しても良い。
【符号の説明】
【００２９】
３  籾摺部
１２  揺動選別板
１８  循環／排出切換弁
【図１】
2015066493.tif 000003
【図２】
2015066493.tif 000004
【図３】
2015066493.tif 000005
【図４】
2015066493.tif 000006
【図５】
2015066493.tif 000007
【図６】
2015066493.tif 000008
【図７】
2015066493.tif 000009